(57)【要約】      （修正有）【課題】夜間白杖の使用時に、点滅光を発して周囲に視覚障碍者の存在を認識させることができ、発光する状態にあることを白杖使用者が確認可能な、白杖用アタッチメントを提供する。【解決手段】白杖用アタッチメント１は、円筒状受容体である接続部１１と、接続部が中心に固定されるドーム状の上部本体と、上部本体と嵌合する有底中空円筒状の下部本体であって内部に振動を感知するときに予め定められた間隔で外方に点滅光を照射するとともに点滅光を照射可能な状態であることを報知する信号音を発生する電子部を収納する下部本体と、からなる。【選択図】図１
0003234449.tif 000002
【実用新案登録請求の範囲】
【請求項１】
円筒状の接続部と、
前記接続部が外側中心に固定されるドーム状の上部本体と、
前記上部本体と嵌合する有底中空円筒状の下部本体であって、内部に振動を感知したときに外方に点滅光を照射するとともに、点滅光を照射したことを報知する信号音を発生する電子部を収納する下部本体と、からなるは白杖用アッタチメント。
【請求項２】
前記電子部が、
振動を検知する振動検知部と、
前記振動検知部が振動を検知したときに発光素子をから前記中空円筒の外方に点滅光を照射する発光部と、
前記振動検知部が振動を検知したときに予め定められた信号音を発生する信号音発生部と、
前記振動検知部、前記発光制御部および前記信号音発生部に電力を供給する電源部と、からなる請求項１に記載の白杖用アッタチメント。
【請求項３】
前記振動検知部が、
第１の方向の振動を検知する第１の振動検知素子と、
前記第１の方向と直交する第２の方向の振動を検知する第２の振動検知部材と、
前記第１の振動検知素子または前記第２の検知素子の少なくとも一方が予め定められた閾値以上の振動を検知したときに前記発光部に発光信号を出力する発光信号出力部を含む請求項２に記載の白杖用アタッチメント。
【請求項４】
前記電子部が、
前記振動検知部が振動を検知したときであっても、前記発光部が発光しない場合は前記信号音発生部の信号音の発生を抑止する異常検知部を含む請求項２または請求項３に記載の白杖用アタッチメント。
【請求項５】
前記異常検知部が、
前記電源部の電力供給能力が予め定めた閾値より低下したときにも前記信号音発生部の信号音の発生を抑止する請求項４に記載の白杖用アッタチメント。
【考案の詳細な説明】
【技術分野】
【０００１】
本考案は白杖用アッタチメントに係り、特に視覚障碍者が夜間歩行する際に周囲に視覚障碍者の存在を認識させる光を発する白杖用アッタチメントに関する。
【背景技術】
【０００２】
視覚障碍者、特に後天的な視覚障碍者が外出する際には白杖を使用することが普通である。
しかし、外出が夜間であるときには、視覚障碍者の周囲にいる人は白杖を識別することが困難であるため視覚障碍者の安全が確保されているとはいえない。
夜間における認識性を向上させるために白杖に反射材を貼付する場合もあるが、周囲に光源がない場合は効果がないという課題がある。
【０００３】
上記課題を解決するために、白杖の先端に取り付けて使用する発光装置がすでに提案されている。（例えば、特許文献１および特許文献２を参照）
この発光装置は、白杖先端に取り付けた透明容器中に発光ダイオードとともに圧電セラミックを収納し、白杖が道路面と接した時に圧電セラミックが発生する電力で発光ダイオードを発光させている。
【先行技術文献】
【特許文献】
【０００４】
【特許文献１】特開２００７−１６００５３
【特許文献２】特開２０１１−０１０９９７
【考案の概要】
【考案が解決しようとする課題】
【０００５】
しかしながら、特許文献１または２の発光装置を装着した白杖を使用している視覚障害者は、発光ダイオードが発光する状態にあることを認識することはできない。
【０００６】
本考案は上記課題に鑑みなされたものであって、夜間白杖が使用されているときは点滅光を発して周囲に視覚障碍者の存在を認識させることができるだけでなく、発光する状態にあることを白杖使用者である視覚障害者が確認することが可能な白杖用アッタチメントを提供する。
【課題を解決するための手段】
【０００７】
第１の考案に係る白杖用アッタチメントは、円筒状の接続部と、接続部が外側中心に固定されるドーム状の上部本体と、上部本体と嵌合する有底中空円筒状の下部本体であって内部に振動を感知したときに外方に点滅光を照射するとともに点滅光を照射したことを報知する信号音を発生する電子部を収納する下部本体と、からなる。
【０００８】
第２の考案に係る白杖用アッタチメントは、電子部が、受容体に差し込まれた杖の振動を検知する振動検知部と、振動検知部が振動を検知したときに発光素子をから前記中空円筒の外方に点滅光を照射する発光部と、振動検知部が振動を検知したときに、予め定められた信号音を発生する信号音発生部と、振動検知部、発光制御部および信号音発生部に電力を供給する電源部と、からなる。
【０００９】
第１および第２の考案に係る白杖用アッタチメントによれば、夜間白杖が使用されているときは点滅光を発して周囲に視覚障碍者の存在を認識させることができるだけでなく、発光可能な状態にあることを白杖使用者である視覚障害者が確認することができる。
【００１０】
第３の考案に係る白杖用アッタチメントは、振動検知部が、第１の方向の振動を検知する第１の振動検知素子と、第１の方向と直交する第２の方向の振動を検知する第２の振動検知部材と、第１の振動検知素子または第２の検知素子の少なくとも一方が予め定められた閾値以上の振動を検知したときに発光部に発光信号を出力する発光信号出力部を含む。
【００１１】
第３の考案に係る白杖用アッタチメントによれば、白杖用アタッチメントの白杖への取り付け方向に拘わらず発光させることができる。
【００１２】
第４の考案に係る白杖用アッタチメントは、電子部が、振動検知部が振動を検知したときであっても発光部が発光しない場合は信号音発生部の信号音の発生を抑止する異常検知部を含む。
【００１３】
第４の考案に係る白杖用アッタチメントによれば、視覚障害者が発光部の異常を認識することが可能となる。
【００１４】
第５の考案に係る白杖用アッタチメントは、異常検知部が、電源部の電力供給能力が予め定めた閾値より低下したときにも信号音発生部の信号音の発生を抑止する。
【００１５】
第５の考案に係る白杖用アッタチメントによれば、視覚障害者が電池の電力供給能力が低下したことを認識することが可能となる。
【考案の効果】
【００１６】
視覚障害者は、白杖が点滅光を発するので夜間外出時に周囲に視覚障碍者の存在を認識させることができるだけでなく、外出前に発光が正常に行われない状態であることおよび製品の交換が必要であることを認識することが可能となる。
【図面の簡単な説明】
【００１７】
【図１】本考案に係る白杖用アタッチメントの正面図（ａ）、下面図（ｂ）および斜視図（ｃ）である。
【図２】下部本体の上面図（ｄ）、正面図（ｅ）および斜視図（ｆ）である。
【図３】電子回路２６の機能線図である。
【図４】振動検知部の詳細構成図（ｇ）および動作説明図（ｈ）、（ｊ）ある。
【考案を実施するための形態】
【００１８】
図１は、本考案に係る白杖用アタッチメント１の正面図（ａ）、下面図（ｂ）および斜視図（ｃ）であって、接続部１１、本体１２および緩衝材１３からなる。
接続部１１は、弾性を有する高強度合成樹脂製の略円筒形状であって、上部に切れ込みが形成されている。
接続部１１には白杖（図示せず）の先端部を挿入し、本体部１２を白杖先端に固定する機能を有する。
なお、切れ込みは白杖の挿入を容易にするためのものである。
【００１９】
本体部１２は、互いに嵌合する上部本体１２１と下部本体１２２からなる。
【００２０】
上部本体１２１は略ドーム形状であり、その外側中心には接続部１１が固定されている。なお、上部本体１２１と接続部１１は一体に形成してもよい。
【００２１】
下部本体１２２は透明な高強度合成樹脂製の有底円筒状であって、底面は丸みを帯びている。
図２は下部本体１２２の上面図（ｄ）、正面図（ｅ）および斜視図（ｆ）であって、絶縁基板２０を内蔵している。
【００２２】
絶縁基板２０の上面のほぼ中央に信号音を発生するための発音体であるスピーカ２１が配置されている。
絶縁基板２０の上面の縁部には、発光素子である発光ダイオード２２、振動検知素子２４および２５も配置されている。
絶縁基板２０の上面には、振動検知部２６１および発光制御部２６２ならびに音異常検知部２６３および信号音発生部２６４も配置されている。
【００２３】
なお、振動検知部２６１および発光制御部２６２ならびに異常検知部２６３および信号音発生部２６４はそれぞれ１つの集積回路で構成し、２つの集積回路は電子回路２６を構成する。
絶縁基板２０の下面には、スピーカ２１、発光ダイオード２２、電子回路２６に電力を供給する電池２７（図示せず）が配置されている。
【００２４】
図３は電子回路２６の機能線図である。
すなわち、電子回路２６は、振動検知部２６１、発光制御部２６２、信号音発生部２６３および異常検知部２６４を含む。
【００２５】
振動検知部２６１は、２つの振動検知素子２４および２５の出力を入力し、振動検知信号を出力する。
発光制御部２６２は、振動検知信号を入力とし、振動検知信号がオンであるときに発光ダイオード２２を発光させる。
信号音発生部２６３は、振動検知信号がオンとなったときに予め定められた信号音をスピーカ２１から発生する。
【００２６】
なお、発光ダイオード２２には、電流制限抵抗２６５を介して電池２７から電力が供給される。
そして、電流制限抵抗２６５と、発光ダイオード２２の接続点の電圧は発光確認信号の出力源として機能する。
【００２７】
異常検知部２６４は、電子回路２６に電力を供給する電池２７の電圧が予め定められた電圧以下に低下したときに信号音発生抑止信号を出力する、
信号音発生部２６３は、信号音発生抑止信号がオンとなったときに信号音の発生を抑止する。
なお、異常検知部２６４は発光確認信号の電圧が所定範囲外となったときにも信号音発生抑止信号をオンとするので、信号音発生部２６３は信号音の発生を抑止する。
【００２８】
次に本考案に係る白杖用アタッチメントの機能を説明する。
【００２９】
本考案に係る白杖用アタッチメント１を使用するときは、接続部１１の中に白杖の先端を挿入固定し、白杖の石突きとして使用する。
【００３０】
アタッチメント１を使用する視覚障害者は、外出前に耳元でアタッチメント１を加振し、スピーカ２１から信号音を発生させて発光ダイオード２２が発光すること、および電池２７が十分な電力供給能力を有することを確認する。
【００３１】
アタッチメント１が道路面と接触した振動により、２つの振動検知素子２４および２５の少なくとも一方が振動を検知する。
２つの振動検知素子２４および２５は互いに直交する向きに配置しているので、白杖に対するアタッチメント１の取り付け角度にかかわらず、アタッチメント１の振動を確実に検知することができる。
【００３２】
図４は振動検知部２６１の詳細構成図（ｇ）および動作説明図（ｈ）、（ｊ）である。
振動検知部２６１は、２つの波形整形部６１１および６１２、２つのワンショットパルス発生部６２１および６２２、ならびに１つの振動検知信号出力部６３から構成されている。
【００３３】
波形整形部６１１および６１２、ならびにワンショットパルス発生部６２１および６２２の動作はそれぞれ同一であるので、以下波形整形部６１１、ワンショットパルス発生部６２１および振動検知信号出力部６３の動作について説明する。
【００３４】
図４（ｈ）は、波形整形部６１１の動作説明図であって、振動検知素子２４は（１）に示すように、アタッチメント１が道路面と接触したときにジグザグにオフからオンとなる信号を出力し、アタッチメント１が道路面から離れたときにジグザグにオンからオフとなる信号を出力する。
【００３５】
波形整形部６１１の出力信号は（２）に示すように振動検知素子２４の出力信号が予め定められたオン閾値電圧以上となったときにオンとなり、振動検知素子２４の出力信号が予め定められたオフ閾値電圧以下となったときにオフとなる。
【００３６】
図４（ｊ）はワンショットパルス発生部６２１の動作説明図であって、ワンショットパルス発生部６２１は波形整形部６１１の出力信号がオフからオンに遷移したときに予め定められた時間幅のパルスを出力する。
【００３７】
信号出力部６３は論理和機能を有し、ワンショットパルス発生部６２１およびワンショットパルス発生部６２２の少なくとも一方がワンショットパルスを出力したときにワンショットパルスと同じ時間幅のパルスである振動検知信号を出力する。
【００３８】
図３に示す発光制御部２６２はスイッチ機能を有し、振動検知信号がオンとなったときにスイッチはオンとなる。
信号検知信号がオン状態になると、電流制限抵抗２６５を介して発光ダイオード２２に電流がながれ、発光ダイオード２２は振動検知信号がオンである期間発光する。
【００３９】
このとき、振動検知信号がオフであるときには電池２７の端子電圧と同電位であった発光確認信号は、電流制限抵抗２６５による電圧降下分だけ降下して発光ダイオード２２が実際に発光したことを示す。
【００４０】
異常検知部２６４は、電子回路２６に電力を供給する電池２７の電圧が予め定められた閾値電圧以下に低下したときに信号音発生抑止信号を信号音発生部出力する。
【００４１】
信号音発生部２６３は信号音発生抑止信号を検知すると、信号音の発生を抑止するので、視覚障害者はアッタチメント１が異常状態にあることを認識できる。
【００４２】
また、発光確認信号の電圧は、発光ダイオード２２が発光すると、電池２７の端子電圧未満かつ接地電圧より高い所定の電圧範囲にある。
しかし、発光ダイオード２２が発光しないときは発光確認信号の電圧は所定の電圧範囲を逸脱する。
すなわち、発光ダイオード２２が開放状態となると、発光確認信号は電池２７の正極電位を維持する。
逆に、発光ダイオード２２が短絡状態となると、発光確認信号は電池２７の陰極電位となる。
異常検知部２６４は、発光確認信号の電圧が所定の電圧範囲を逸脱したときも信号音発生抑止信号を出力する。
そして、信号音発生部２６３は信号音の発生を抑止するので、視覚障害者はアッタチメントが異常状態にあることを認識できる。
【００４３】
なお、信号音発生部２６３が発生する信号音を、アタッチメント１が正常であるときは第１の信号音と、電池２７の電圧が低下したときは第２の信号音と、発光確認信号の電圧が所定の電圧範囲を逸脱したしたときは第３の信号音とすることにより、視覚障害者はアッタチメントの状態をより詳細に認識することができる。
【産業上の利用可能性】
【００４４】
本考案に係る白杖用アタッチメントによれば、夜間白杖が使用されているときに点滅光を発して周囲に視覚障碍者の存在を認識させることができるだけでなく、事前に発光が正常可能で行われない状態であることおよび製品の交換が必要であることを白杖使用者である視覚障害者に知らせることが可能となるので、産業上利用性を有する。
【符号の説明】
【００４５】
１…白杖用アタッチメント
１１…接続部
１２…本体
１３…緩衝材
１２１…本体上部
１２２…本体下部
２０…絶縁基板
２１…スピーカ
２２…発光ダイオード
２４，２５…振動検知素子
２６…電子回路
２７…電池
２６１…振動検知部
２６２…発光制御部
２６３…信号音発生部
２６４…異常検知部
２６５…電流制限抵抗
６１１，６１２…波形整形部
６２１，６２２…ワンショットパルス発生部
６３…振動検知信号出力部 
【図１】
0003234449.tif 000003
【図２】
0003234449.tif 000004
【図３】
0003234449.tif 000005
【図４】
0003234449.tif 000006